(57)【要約】【課題】寸法差が大きい紙幣であっても取り出しが容易な紙幣処理機の提供。【解決手段】紙幣の長辺方向の一端を機体奥側にした姿勢での、機外からの投入および機内からの放出の少なくともいずれか一方が行われる取引口１２を有し、この取引口１２は、紙幣の長辺方向の他端側に開口する主開口部７１と、主開口部７１から連続して紙幣の短辺方向一端側に開口する側部開口部７２とを有している。【選択図】図２
2010191606.tif 000002
【特許請求の範囲】
【請求項１】
紙幣の長辺方向の一端を機体奥側にした姿勢での、機外からの投入および機内からの放出の少なくともいずれか一方が行われる取引口を有する紙幣処理機であって、
前記取引口は、紙幣の長辺方向の他端側に開口する主開口部と、該主開口部から連続して紙幣の短辺方向一端側に開口する側部開口部とを有することを特徴とする紙幣処理機。
【請求項２】
前記取引口は、機体奥側が紙幣の厚さ方向に狭い奥側狭部とされ、前記主開口部側が外端側ほど前記厚さ方向に広くなる傾斜状の拡大部とされていることを特徴とする請求項１に記載の紙幣処理機。
【請求項３】
前記取引口は、機体奥側が紙幣の厚さ方向に狭い奥側狭部とされ、前記主開口部側の前記側部開口部側が外端側ほど前記厚さ方向に広くなる傾斜状の拡大部とされ、前記主開口部側の前記側部開口部とは反対側が前記奥側狭部と前記厚さ方向に同じ間隔の外側狭部とされていることを特徴とする請求項１に記載の紙幣処理機。
【請求項４】
前記取引口には、前記主開口部と前記側部開口部とを閉塞可能な屈曲形状のシャッタが設けられていることを特徴とする請求項１乃至３のいずれか一項に記載の紙幣処理機。
【請求項５】
紙幣がその長辺方向の一端を機体奥側にして機外から投入される取引口としての投入口と、紙幣がその長辺方向の一端を機体奥側にして機内から放出される取引口としての放出口とを有する紙幣処理機であって、
前記投入口および前記放出口は、いずれも、紙幣の長辺方向の他端側に開口する主開口部と、該主開口部から連続して紙幣の短辺方向一端側に開口する側部開口部とを有することを特徴とする紙幣処理機。
【請求項６】
前記投入口は、機体奥側が紙幣の厚さ方向に狭い奥側狭部とされ、前記主開口部側が外端側ほど前記厚さ方向に広くなる傾斜状の拡大部とされていることを特徴とする請求項５に記載の紙幣処理機。
【請求項７】
前記放出口は、機体奥側が紙幣の厚さ方向に狭い奥側狭部とされ、前記主開口部側の前記側部開口部側が外端側ほど前記厚さ方向に広くなる傾斜状の拡大部とされ、前記主開口部側の前記側部開口部とは反対側が前記奥側狭部と前記厚さ方向に同じ間隔の外側狭部とされていることを特徴とする請求項５または６に記載の紙幣処理機。
【請求項８】
前記投入口および前記放出口は、それぞれの前記主開口部が同側に指向し、それぞれの前記側部開口部が同側に指向するように紙幣の厚さ方向に並んで隣接配置され、
前記投入口および前記放出口に共通で、それぞれの前記主開口部と前記側部開口部とを閉塞可能な屈曲形状のシャッタが設けられていることを特徴とする請求項５乃至７のいずれか一項に記載の紙幣処理機。
【請求項９】
前記シャッタは、二枚重ねのシャッタ体で構成されていることを特徴とする請求項８に記載の紙幣処理機。
【請求項１０】
前記取引口は、照明手段を有することを特徴とする請求項１乃至９のいずれか一項に記載の紙幣処理機。
【発明の詳細な説明】
【技術分野】
【０００１】
本発明は、紙幣処理機に関する。
【背景技術】
【０００２】
例えば日本国以外の外国の紙幣においては、紙幣の金種による長辺方向の寸法差が比較的大きい場合があり、このような寸法差の大きい紙幣を効率良く処理するために、その長辺方向を搬送方向に沿わせた姿勢で搬送する紙幣処理機がある（例えば、特許文献１参照）。
【先行技術文献】
【特許文献】
【０００３】
【特許文献１】特開平９−２３７３７１号公報
【発明の概要】
【発明が解決しようとする課題】
【０００４】
ところで、上記のように長辺方向を搬送方向に沿わせて紙幣を搬送する紙幣処理機では、紙幣が機外から投入され、あるいは紙幣が機内から放出される取引口においても、搬送姿勢に合わせて、紙幣をその長辺方向の一端が機体奥側に位置する姿勢で受けるようになっている。このような取引口において、投入した紙幣を、処理をキャンセルするため取り出したり、機内から放出された紙幣を取り出したりする場合に、紙幣の寸法差が大きいと取り出しにくいという問題があった。
【０００５】
したがって、本発明は、寸法差が大きい紙幣であっても取り出しが容易な紙幣処理機の提供を目的とする。
【課題を解決するための手段】
【０００６】
上記目的を達成するために、請求項１に係る発明は、紙幣の長辺方向の一端を機体奥側にした姿勢での、機外からの投入および機内からの放出の少なくともいずれか一方が行われる取引口を有する紙幣処理機であって、前記取引口は、紙幣の長辺方向の他端側に開口する主開口部と、該主開口部から連続して紙幣の短辺方向一端側に開口する側部開口部とを有することを特徴としている。
【０００７】
請求項２に係る発明は、請求項１に係る発明において、前記取引口は、機体奥側が紙幣の厚さ方向に狭い奥側狭部とされ、前記主開口部側が外端側ほど前記厚さ方向に広くなる傾斜状の拡大部とされていることを特徴としている。
【０００８】
請求項３に係る発明は、請求項１に係る発明において、前記取引口は、機体奥側が紙幣の厚さ方向に狭い奥側狭部とされ、前記主開口部側の前記側部開口部側が外端側ほど前記厚さ方向に広くなる傾斜状の拡大部とされ、前記主開口部側の前記側部開口部とは反対側が前記奥側狭部と前記厚さ方向に同じ間隔の外側狭部とされていることを特徴としている。
【０００９】
請求項４に係る発明は、請求項１乃至３のいずれか一項に係る発明において、前記取引口には、前記主開口部と前記側部開口部とを閉塞可能な屈曲形状のシャッタが設けられていることを特徴としている。
【００１０】
請求項５に係る発明は、紙幣がその長辺方向の一端を機体奥側にして機外から投入される取引口としての投入口と、紙幣がその長辺方向の一端を機体奥側にして機内から放出される取引口としての放出口とを有する紙幣処理機であって、前記投入口および前記放出口は、いずれも、紙幣の長辺方向の他端側に開口する主開口部と、該主開口部から連続して紙幣の短辺方向一端側に開口する側部開口部とを有することを特徴としている。
【００１１】
請求項６に係る発明は、請求項５に係る発明において、前記投入口は、機体奥側が紙幣の厚さ方向に狭い奥側狭部とされ、前記主開口部側が外端側ほど前記厚さ方向に広くなる傾斜状の拡大部とされていることを特徴としている。
【００１２】
請求項７に係る発明は、請求項５または６に係る発明において、前記放出口は、機体奥側が紙幣の厚さ方向に狭い奥側狭部とされ、前記主開口部側の前記側部開口部側が外端側ほど前記厚さ方向に広くなる傾斜状の拡大部とされ、前記主開口部側の前記側部開口部とは反対側が前記奥側狭部と前記厚さ方向に同じ間隔の外側狭部とされていることを特徴としている。
【００１３】
請求項８に係る発明は、請求項５乃至７のいずれか一項に係る発明において、前記投入口および前記放出口は、それぞれの前記主開口部が同側に指向し、それぞれの前記側部開口部が同側に指向するように紙幣の厚さ方向に並んで隣接配置され、前記投入口および前記放出口に共通で、それぞれの前記主開口部と前記側部開口部とを閉塞可能な屈曲形状のシャッタが設けられていることを特徴としている。
【００１４】
請求項９に係る発明は、請求項８に係る発明において、前記シャッタは、二枚重ねのシャッタ体で構成されていることを特徴としている。
【００１５】
請求項１０に係る発明は、請求項１乃至９のいずれか一項に係る発明において、前記取引口は、照明手段を有することを特徴としている。
【発明の効果】
【００１６】
請求項１に係る発明によれば、紙幣の長辺方向の一端を機体奥側にした姿勢での、機外からの投入および機内からの放出の少なくともいずれか一方が行われる取引口が、紙幣の長辺方向の他端側に開口する主開口部と、この主開口部から連続して紙幣の短辺方向一端側に開口する側部開口部とを有しているため、寸法差が大きい紙幣群が取引口にある場合でも、すべての紙幣を側部開口部側から同時に把持可能となり、この状態で主開口部側に取り出すことができ、取り出しが容易となる。
【００１７】
請求項２に係る発明によれば、取引口が、機体奥側の紙幣の厚さ方向に狭い奥側狭部で紙幣群の姿勢を安定させ、主開口部側の外端側ほど紙幣の厚さ方向に広くなる傾斜状の拡大部側で紙幣群の把持を容易とする。したがって、取り出しがさらに容易となる。
【００１８】
請求項３に係る発明によれば、取引口が、紙幣の厚さ方向に同じ間隔で狭い、機体奥側の奥側狭部および主開口部側の外側狭部で紙幣群の姿勢を安定させ、主開口部側の外側狭部よりも側部開口部側の、外端側ほど紙幣の厚さ方向に広くなる傾斜状の拡大部側で紙幣群の把持を容易とする。したがって、取り出しがさらに容易となる。
【００１９】
請求項４に係る発明によれば、屈曲形状のシャッタにより主開口部と側部開口部とを閉塞するため、簡素な構造で主開口部および側部開口部を開閉できる。
【００２０】
請求項５に係る発明によれば、紙幣がその長辺方向の一端を機体奥側にして機外から投入される投入口と、紙幣がその長辺方向の一端を機体奥側にして機内から放出される放出口とが、いずれも、紙幣の長辺方向の他端側に開口する主開口部と、この主開口部から連続して紙幣の短辺方向一端側に開口する側部開口部とを有しているため、寸法差が大きい紙幣群が投入口および放出口のいずれにある場合でも、すべての紙幣を側部開口部側から同時に把持可能となり、この状態で主開口部側に取り出すことができ、取り出しが容易となる。
【００２１】
請求項６に係る発明によれば、投入口が、機体奥側の紙幣の厚さ方向に狭い奥側狭部で紙幣群の姿勢を安定させ、主開口部側の外端側ほど紙幣の厚さ方向に広くなる傾斜状の拡大部側で紙幣群の把持を容易とする。したがって、取り出しがさらに容易となる。
【００２２】
請求項７に係る発明によれば、放出口が、紙幣の厚さ方向に同じ間隔で狭い、機体奥側の奥側狭部および主開口部側の外側狭部で紙幣群の姿勢を安定させ、主開口部側の外側狭部よりも側部開口部側の、外端側ほど紙幣の厚さ方向に広くなる傾斜状の拡大部側で紙幣群の把持を容易とする。したがって、取り出しがさらに容易となる。
【００２３】
請求項８に係る発明によれば、それぞれの主開口部が同側に指向し、それぞれの側部開口部が同側に指向するように紙幣の厚さ方向に並んで隣接配置された投入口および放出口に対して、これらに共通で、それぞれの主開口部と側部開口部とを閉塞可能な屈曲形状のシャッタが設けられているため、簡素な構造で投入口および放出口のそれぞれの主開口部および側部開口部を開閉できる。
【００２４】
請求項９に係る発明によれば、シャッタが、二枚重ねのシャッタ体で構成されているため、一方のシャッタ体を他方のシャッタ体側に移動させて重ね合わせることで、投入口の主開口部および側部開口部を閉じた状態のまま、放出口の主開口部および側部開口部を開いたり、他方のシャッタ体を一方のシャッタ体側に移動させて重ね合わせることで、放出口の主開口部および側部開口部を閉じた状態のまま、投入口の主開口部および側部開口部を開いたりすることができる。したがって、簡素な構成で投入口および放出口を択一的に開くことができる。
【００２５】
請求項１０に係る発明によれば、取引口が、照明手段を有するため、特に長辺方向長さの短い紙幣を取り忘れることなく、紙幣群を確実に取り出すことができる。
【図面の簡単な説明】
【００２６】
【図１】本発明の一実施形態に係る紙幣処理機を概略的に示す側断面図である。
【図２】本発明の一実施形態に係る紙幣処理機の要部を示す斜視図であって、投入口が開放された状態を示すものである。
【図３】本発明の一実施形態に係る紙幣処理機の要部を示す斜視図であって、放出口が開放された状態を示すものである。
【図４】本発明の一実施形態に係る紙幣処理機の取引口形成部材の側断面図である。
【図５】本発明の一実施形態に係る紙幣処理機の要部を示す斜視図であって、投入口および放出口が閉塞された状態を示すものである。
【図６】本発明の一実施形態に係る紙幣処理機を概略的に示す側断面図であって、入金処理のルートを太線矢印で示すものである。
【図７】本発明の一実施形態に係る紙幣処理機を概略的に示す側断面図であって、収納処理のルートを太線矢印で示すものである。
【図８】本発明の一実施形態に係る紙幣処理機を概略的に示す側断面図であって、放出処理のルートを太線矢印で示すものである。
【図９】本発明の一実施形態に係る紙幣処理機を概略的に示す側断面図であって、取り忘れ回収処理のルートを太線矢印で示すものである。
【発明を実施するための形態】
【００２７】
本発明の一実施形態に係る紙幣処理機を図面を参照して以下に説明する。なお、以下の説明においては、操作者側を「前」、操作者とは反対側を「後」、操作者から見て左を「左」、操作者から見て右を「右」とする。
【００２８】
本実施形態に係る紙幣処理機１１は、紙幣Ｓをその長辺方向を搬送方向に沿わせた姿勢で搬送しつつ処理を行うもので、具体的には、紙幣Ｓを計数して入金および収納する入金収納処理と、紙幣Ｓを計数して返却する計数処理とを行うことが可能な紙幣入金機となっている。
【００２９】
図１に示すように、紙幣処理機１１は、機体の前面１１Ａ側に、機外から紙幣Ｓが投入される取引口としての投入口１２が設けられ、この投入口１２のさらに前面１１Ａ側に機内から紙幣Ｓが放出される取引口としての放出口１３が設けられている。
【００３０】
投入口１２には、紙幣Ｓがその長辺方向の一端を機体奥側にし短辺側を水平方向（機体左右方向）にした後下がりの姿勢で、厚さ方向に複数枚が集積された紙幣群ＳＳの状態で投入される。投入口１２は、最も長辺方向長さの長い紙幣Ｓの全体を収容可能となっている。
【００３１】
放出口１３にも、紙幣Ｓがその長辺方向の一端を機体奥側にし短辺側を水平方向（機体左右方向）にした前上がりの姿勢で放出され、放出口１３内で厚さ方向に複数枚が集積されて紙幣群ＳＳの状態となる。放出口１３も、最も長辺方向長さの長い紙幣Ｓの全体を収容可能となっている。
【００３２】
投入口１２の機体奥側には、投入口１２に投入された紙幣Ｓを、一枚ずつ分離して機内に繰り出す分離繰出部２０が設けられており、分離繰出部２０の機体奥側には、分離繰出部２０から繰り出された紙幣Ｓを搬送する搬送部２１が設けられている。この搬送部２１は、分離繰出部２０から後上がりに延出した後に下側に折り返して前下がりに延出し、さらに水平方向に沿って前方に延出し最後に前上がりに若干延出して放出口１３に接続される形状をなしている。
【００３３】
また、紙幣処理機１１には、この搬送路２１の途中から分岐して鉛直下方に延出した後、水平に沿って後方に延出する搬送路２２と、搬送路２２の途中位置から分岐し、水平に沿って後方に延出する搬送路２３と、搬送路２２の搬送路２３よりも下流側から分岐し搬送部２１に接続される搬送部２４とが設けられている。
【００３４】
搬送路２１の上流側には、搬送中の紙幣Ｓの識別と計数とを行う識別部２８が設けられている。また、搬送路２２の端末位置には、識別部２８により正常と識別された紙幣Ｓを金種混合で一時貯留させる一時貯留部２９が接続されている。また、搬送路２３の端末位置には、正常と識別された紙幣Ｓ以外の紙幣Ｓの中で偽券と識別された紙幣Ｓを収納する回収庫３０が接続されている。
【００３５】
紙幣処理機１１には、搬送路２２の下流側から分岐して下方に若干延出した後、水平に沿って前方に延出して最後に下方に延出する搬送路３４が設けられており、さらに、搬送路３４の途中位置から分岐して下方に延出する搬送路３５および搬送路３６が設けられている。これらの搬送路３４〜３６の端末位置には、一時貯留部２９から繰り出された紙幣Ｓを所定の種類別に収納する収納庫３７〜３９が接続されている。
【００３６】
放出口１３の機体奥側にも、放出口１３に放出された後に取り忘れとなった紙幣Ｓを、一枚ずつ分離して機内に繰り出す分離繰出部４２が設けられており、分離繰出部４２の機体奥側には、分離繰出部４２から繰り出された紙幣Ｓを搬送する搬送部４３が設けられている。この搬送部４３の端末位置には、取り忘れの紙幣Ｓを収納する取忘回収庫４４が設けられている。
【００３７】
図２に示すように、機体前面１１Ａ側には、水平に対し若干前下がりに傾斜する操作面部４８が右側に形成されており、この操作面部４８には、操作者（入金顧客）により操作される操作ボタン５０が複数設けられている。操作面部４８の後縁部から上方に立ち上がる正面部５１には、操作者に対し表示を行う表示画面５２、カード挿入口５３、伝票発行口５４および表示画面５２の左右に設けられて操作者の操作入力を受けつける操作ボタン５５が設けられている。
【００３８】
そして、操作面部４８の左側には、後側に投入口１２が、図３に示すように前側に放出口１３が、いずれも操作面部４８よりも上方に突出するように設けられている。
【００３９】
つまり、操作面部４８の左側には、投入口１２および放出口１３を形成するための取引口形成部材５８が設けられている。この取引口形成部材５８は、図２に示すように、操作面部４８よりも上側にあって操作面部４８と略平行をなす左右方向に長い矩形状の後上面部６０と、後上面部６０の操作面部４８側の側縁部から後上面部６０と直交して機体奥側に延出する矩形状の後側面部６１と、後上面部６０の前縁部から後上面部６０および後側面部６１と直交して機体奥側に延出する左右方向に沿う矩形状の投入口後面部６２とを有している。
【００４０】
また、取引口形成部材５８は、図４に示すように、上記した投入口後面部６２と対向するように機体奥側に設けられた、投入口後面部６２と平行な矩形状の投入口奥側前面部６４と、投入口後面部６２と対向して投入口奥側前面部６４よりも機体外側に設けられた、外端側ほど投入口後面部６２との距離を拡大する矩形状の投入口外側前面部６５と、投入口外側前面部６５の上縁部から上方に延出する、投入口後面部６２と平行な矩形状の投入口外端前面部６６と、図２に示すように投入口外側前面部６５の操作面部４８側の側縁部から機体奥側に延出する中間側面部６７とを有している。
【００４１】
さらに、取引口形成部材５８は、図４に示すように、投入口後面部６２、投入口奥側前面部６４、投入口外側前面部６５および投入口外端前面部６６のそれぞれの操作面部４８とは反対側の端縁部を結ぶ、機体左右方向に垂直をなす投入口側面部６８と、図２に示すように、投入口側面部６８の上縁部から後上面部６０と面一で操作面部４８とは反対側に延出する側上面部６９とを有している。なお、投入口外側前面部６５は操作面部４８よりも上側に位置している。
【００４２】
そして、投入口１２は、図４に示すように、上記した投入口後面部６２、投入口奥側前面部６４、投入口外側前面部６５、投入口外端前面部６６および投入口側面部６８と、投入口後面部６２、投入口奥側前面部６４および投入口側面部６８の奥方にあってこれらに直交する底面部７０とで形成されることになり、この投入口１２内に、上記したように、紙幣Ｓがその長辺方向の一端を機体奥側（下側）にし短辺側を機体左右方向にした後下がりの姿勢で、厚さ方向に複数枚が集積された紙幣群ＳＳの状態とされて、底面部７０に当接する位置まで投入される。この状態で、紙幣群ＳＳは、底面部７０および投入口奥側前面部６４を主体として支持される。
【００４３】
上記した投入口後面部６２、投入口外端前面部６６および投入口側面部６８のそれぞれの外端縁部によって、投入口１２において紙幣Ｓの長辺方向の他端側（上側）に開口する主開口部７１が形成され、投入口後面部６２、投入口外側前面部６５および投入口外端前面部６６の図２に示す操作面部４８側の側縁部で、投入口１２において主開口部７１から連続して紙幣Ｓの短辺方向一端側（右側）に開口する側部開口部７２が形成されている。ここで、操作面部４８の取引口形成部材５８側の端縁部には上方に立ち上がる壁板７３が設けられており、この壁板７３は、操作面部４８から投入口外側前面部６５の近傍高さまで延出している。側部開口部７２は、この壁板７３よりも上側に形成されている。
【００４４】
そして、投入口１２には、図４に示すように、投入口後面部６２と投入口奥側前面部６４とによって、機体奥側にあって紙幣Ｓの厚さ方向に間隔の狭い奥側狭部７４が形成され、投入口後面部６２と投入口外側前面部６５とによって、主開口部７１側にあって、外端側ほど紙幣Ｓの厚さ方向に間隔が広くなる傾斜状の拡大部７５が形成されている。拡大部７５は、紙幣Ｓの短辺方向の幅つまり機体左右方向の幅が奥側狭部７４と同等になっている。
【００４５】
図２に示すように、上記した側部開口部７２は、投入口側面部６８と対向する位置にあり、側部開口部７２の投入口側面部６８とは反対側（機体右側）は、操作面部４８より上側にある機外開放の空間部７６となっている。つまり、投入口１２は、紙幣Ｓの短辺方向の一端側が側部開口部７２を介して空間部７６に抜けており、紙幣Ｓの短辺方向の他端側が投入口側面部６８で閉塞されている。
【００４６】
そして、投入口１２の閉塞側の側部を形成する投入口側面部６８には、投入口１２内に光を照射するランプ（照明手段）７８が設けられている。
【００４７】
図３に示すように、取引口形成部材５８は、前側に、操作面部４８よりも上側にあって操作面部４８と略平行をなす中間上面部８３と、中間上面部８３の前縁部から中間上面部８３と直交して機体奥側に延出する左右方向に沿う矩形状の放出口後面部８５とを有している。
【００４８】
また、取引口形成部材５８は、図４に示すように、上記した放出口後面部８５と対向するように機体奥側に設けられた、放出口後面部８５と平行な矩形状の放出口奥側前面部８７と、放出口後面部８５と対向して放出口奥側前面部８７よりも機体外側且つ操作面部４８とは反対側に設けられた、放出口奥側前面部８７と面一の矩形状の放出口外側延長前面部８８と、放出口後面部８５と対向して放出口奥側前面部８７よりも機体外側且つ操作面部４８側に設けられた、外端側ほど放出口後面部８５との距離を拡大する矩形状の放出口外側傾斜前面部８９と、放出口外側傾斜前面部８９の上縁部から上方に延出する、放出口後面部８５と平行な矩形状の放出口外端前面部９０と、放出口外側延長前面部８８、放出口外側傾斜前面部８９および放出口外端前面部９０の間にこれらに直交して設けられた中間側面部９１と、放出口外側傾斜前面部８９の操作面部４８側の側縁部から機体奥側に延出する図３に示す前側面部９２とを有している。
【００４９】
さらに、取引口形成部材５８は、図４に示すように、放出口後面部８５、放出口奥側前面部８７および放出口外側延長前面部８８のそれぞれの操作面部４８とは反対側の端縁部を結ぶ、機体左右方向に垂直をなす放出口側面部９４と、放出口側面部９４、放出口外側延長前面部８８および中間側面部９１のそれぞれの上縁部から中間上面部８３と面一で操作面部４８とは反対側に延出する図３に示す側上面部９５とを有している。なお、放出口外側傾斜前面部８９は操作面部４８および壁板７３よりも上側に位置している。
【００５０】
そして、放出口１３は、図４に示すように、上記した放出口後面部８５、放出口奥側前面部８７、放出口外側延長前面部８８、放出口外側傾斜前面部８９、放出口外端前面部９０、中間側面部９１および放出口側面部９４と、放出口後面部８５、放出口奥側前面部８７および放出口側面部９４の奥方にあってこれらに直交する底面部９８とで形成されることになり、この放出口１３内に、上記したように、紙幣Ｓがその長辺方向の一端を機体奥側（下側）にし短辺側を機体左右方向にした前上がりの姿勢で機内から放出され、厚さ方向に複数枚が集積された紙幣群ＳＳの状態とされて、底面部９８、放出口奥側前面部８７および放出口外側延長前面部８８を主体として支持される。
【００５１】
上記した放出口後面部８５、放出口外側延長前面部８８、中間側面部９１、放出口外端前面部９０および放出口側面部９４のそれぞれの外端縁部によって、放出口１３において紙幣Ｓの長辺方向の他端側（上側）に開口する主開口部１００が形成され、放出口後面部８５、放出口外側傾斜前面部８９および放出口外端前面部９０の操作面部４８側の側縁部で、図３に示すように、放出口１３において主開口部１００から連続して紙幣Ｓの短辺方向一端側（右側）に開口する側部開口部１０１が形成されている。ここで、上記した壁板７３は、操作面部４８から放出口外側傾斜前面部８９の近傍高さまで延出している。側部開口部１０１は、この壁板７３よりも上側に形成されている。
【００５２】
そして、放出口１３には、図４に示すように、放出口後面部８５と放出口奥側前面部８７とによって、機体奥側にあって紙幣Ｓの厚さ方向に間隔の狭い奥側狭部１０３が形成され、図３に示すように、放出口後面部８５と放出口外側傾斜前面部８９とによって主開口部７１の側部開口部１０１側にあって、外端側ほど紙幣Ｓの厚さ方向に間隔が広くなる傾斜状の拡大部１０４が形成され、放出口後面部８５と放出口外側延長前面部８８とによって主開口部１００の側部開口部１０１とは反対側にあって、奥側狭部１０３の延長上で奥側狭部１０３と紙幣Ｓの厚さ方向に同じ間隔をなす外側狭部１０５が形成されている。拡大部１０４および外側狭部１０５は、それぞれ、紙幣Ｓの短辺方向の幅が奥側狭部１０３の略半分となっており、奥側狭部１０３および外側狭部１０５を形成する図４に示す放出口奥側前面部８７および放出口外側延長前面部８８で紙幣Ｓを支持し、拡大部１０４を形成する放出口外側傾斜前面部８９と紙幣群ＳＳとの間に隙間を形成する。
【００５３】
ここで、図３に示すように、側部開口部１０１は、放出口側面部９４と対向する位置にあり、側部開口部１０１の放出口側面部９４とは反対側（機体右側）は、操作面部４８より上側にある空間部７６となっている。つまり、放出口１３は、紙幣Ｓの短辺方向の一端側が側部開口部１０１を介して空間部７６に抜けており、紙幣Ｓの短辺方向の他端側が放出口側面部９４で閉塞されている。
【００５４】
そして、放出口１３の閉塞側の側部を形成する放出口側面部９４には、放出口１３内に光を照射するランプ（照明手段）１０７が設けられている。
【００５５】
上記した投入口１２の主開口部７１と放出口１３の主開口部１００とが同じ上方向に指向しており、投入口１２の側部開口部７２と放出口１３の側部開口部１０１とが同じ空間部７６の方向に指向しており、この状態で、投入口１２および放出口１３は、左右方向の位置を合わせて紙幣Ｓの厚さ方向である前後に並んで隣接配置されている。
【００５６】
そして、これら投入口１２および放出口１３に共通で、それぞれの主開口部７１，１００と側部開口部７２，１０２とを閉塞可能な屈曲形状のシャッタ１１０が設けられている。
【００５７】
図５に示すように、このシャッタ１１０は、図３に示す放出口１３の主開口部１００側を開閉可能な上板部１１１と上板部１１１の操作面部４８側から下方に屈曲して図３に示す側部開口部１０１側を開閉可能な側板部１１２とを有する屈曲形状の内側シャッタ体（シャッタ体）１１３と、図２に示す投入口１２の主開口部７１側を開閉可能な上板部１１５と上板部１１５の操作面部４８側から下方に屈曲して図２に示す側部開口部７２側を開閉可能な側板部１１６とを有する屈曲形状をなして内側シャッタ体１１３の外側に重なる外側シャッタ体（シャッタ体）１１７とで構成されている。つまり、シャッタ１１０は、二枚重ねの内側シャッタ体１１３および外側シャッタ体１１７で構成されている。内側シャッタ体１１３の側板部１１２および外側シャッタ体１１７の側板部１１６は、壁板７３と、取引口形成部材５８との隙間を移動する。
【００５８】
シャッタ１１０は、図５に示す待機状態では、内側シャッタ体１１３と外側シャッタ体１１７とがずれており、内側シャッタ体１１３が、上板部１１１および側板部１１２で放出口１３の主開口部１００および側部開口部１０１を閉塞し、外側シャッタ体１１７が、上板部１１５および側板部１１６で投入口１２の主開口部７１および側部開口部７２を閉塞している。
【００５９】
この状態から、投入口１２を開く場合には、内側シャッタ体１１３を停止状態のまま、図示略のシャッタモータにより外側シャッタ体１１７をスライドさせて内側シャッタ体１１３に重ね合わせる。これにより、図２に示すように投入口１２が開放される。他方、放出口１３を開く場合には、外側シャッタ体１１７を停止状態のまま、図示略のシャッタモータにより内側シャッタ体１１３をスライドさせて外側シャッタ体１１７に重ね合わせる。これにより、図３に示すように放出口１３が開放される。
【００６０】
以上に述べた紙幣処理機１１において、紙幣Ｓを計数して入金および収納する入金収納処理を行う場合、操作者が、表示画面５２のガイド表示にしたがって操作ボタン５５で入金収納処理を開始する旨の操作入力を行うと、制御部１２０が、シャッタモータを駆動し、待機状態にあったシャッタ１１０の外側シャッタ体１１７を開くとともにランプ７８を点灯させる。これにより、投入口１２および放出口１３のうち投入口１２のみが露出するとともに、投入口１２内が明るく照らされる。
【００６１】
この状態で、操作者が紙幣Ｓを長辺方向を揃え、短辺方向も揃えて、厚さ方向に集積した紙幣群ＳＳの状態で、投入口１２内に長辺方向の一端が底面部７０に当接するように投入する。すると、紙幣群ＳＳは、底面部７０および投入口奥側前面部６４を主体として支持されることになり、すべての紙幣Ｓが底面部７０に当接する。このとき、長さの短い紙幣Ｓは、長さの長い紙幣Ｓよりも奥方に位置することになるが、最も長さの短い紙幣Ｓであっても投入口外側前面部６５の位置まで延出するように投入口奥側前面部６４の奥行き寸法が設定されている。
【００６２】
ここで、操作者が、表示画面５２のガイド表示にしたがって操作ボタン５５で処理の中止を入力すると、制御部１２０はシャッタ１１０の外側シャッタ体１１７を開状態のままとする。操作者は、紙幣群ＳＳを投入口１２から取り出すことになるが、この場合、側部開口部７２の拡大部７５側から投入口１２内に指を入れて、紙幣群ＳＳを把持し、主開口部７１側に抜き出す。これにより、長さの短い紙幣Ｓも長さの長い紙幣Ｓと一緒に良好に取り出すことができる。また、仮に長さの短い紙幣Ｓが投入口１２に残ってしまっても、ランプ７８による照明で取り忘れを抑制することになり、側部開口部７２の拡大部７５側から挿入された指で容易に取り出される。投入口１２から紙幣Ｓが取り出されたことが図示略のセンサで検出されると、制御部１２０は、シャッタモータを駆動し、外側シャッタ体１１７を閉じてシャッタ１１０を待機状態に戻すとともにランプ７８を消灯させる。
【００６３】
他方、投入口１２内に紙幣群ＳＳを投入して、操作者が、表示画面５２のガイド表示にしたがって操作ボタン５５で入金収納処理を実行する旨の操作入力を行うと、制御部１２０は、シャッタモータを駆動し、開状態にあったシャッタ１１０の外側シャッタ体１１７を閉じるとともにランプ７８を消灯させる。その後、制御部１２０は、図６に太線矢印で示すように、投入口１２内の紙幣Ｓを分離繰出部２０で一枚ずつ分離して搬送部２１に繰り出し、識別部２８で識別して、正常な紙幣Ｓは搬送部２１，２２で一時貯留部２９に一時貯留させる一方、正常でない紙幣Ｓのうちの偽券は、搬送部２１〜２３で回収庫３０に回収し、偽券以外の識別不能や重送の紙幣Ｓは、搬送部２１で放出口１３に放出する。放出口１３に放出された紙幣Ｓは、放出口１３内に長辺方向の一端が底面部９８に当接するように放出され、複数枚ある場合には、厚さ方向に順次重ねられて、紙幣群ＳＳとなる。この紙幣Ｓは、底面部９８、放出口奥側前面部８７および放出口外側延長前面部８８を主体として支持されることになり、複数枚ある場合も基本的にすべての紙幣Ｓが底面部９８に当接する。ここで、最も長さの短い紙幣Ｓであっても放出口外側延長前面部８８および放出口外側傾斜前面部８９の位置まで延出するように放出口奥側前面部８７の奥行き寸法が設定されている。
【００６４】
そして、制御部１２０は、識別部２８の識別結果を表示画面５２に表示させるとともに、放出口１３に紙幣Ｓがある場合には、シャッタモータを駆動し、待機状態にあったシャッタ１１０の内側シャッタ体１１３を開くとともにランプ１０７を点灯させる。これにより、投入口１２および放出口１３のうち放出口１３のみが露出するとともに、放出口１３内が明るく照らされる。操作者は、返却された紙幣Ｓを放出口１３から取り出すことになるが、その際に、紙幣Ｓは放出口奥側前面部８７および放出口外側延長前面部８８で支持されることにより放出口外側傾斜前面部８９との間に隙間が形成されている。そして、操作者は、側部開口部１０１の拡大部１０４側から放出口１３内に指を入れて、放出口外側傾斜前面部８９との間に隙間が形成されている紙幣Ｓを把持し、主開口部１００側に抜き出す。これにより、長さの短い紙幣Ｓも良好に取り出すことができる。このとき、仮に長さの短い紙幣Ｓが放出口１３に残ってしまっても、ランプ１０７による照明で取り忘れを抑制することになり、側部開口部１０１の拡大部１０４側から挿入された指で容易に取り出される。放出口１３から紙幣Ｓが取り出されたことが図示略のセンサで検出されると、制御部１２０は、シャッタモータを駆動し、内側シャッタ体１１３を閉じてシャッタ１１０を待機状態に戻すとともにランプ１０７を消灯させる。
【００６５】
操作者が、表示画面５２のガイド表示にしたがって操作ボタン５５で承認操作の入力を行うと、制御部１２０は、図７に太線矢印で示すように、一時貯留部２９の紙幣Ｓを、搬送路２２，３４〜３６を介して、収納庫３７〜３９に分類して収納する。ここで、一時貯留部２９では、紙幣Ｓが識別部２８の識別順に貯留され、識別順とは逆に繰り出すことになり、この繰り出し順と識別部２８の識別結果とに基づいて収納庫３７〜３９に紙幣Ｓを分類する。
【００６６】
また、紙幣Ｓを計数して返却する計数処理を行う場合、操作者が、表示画面５２のガイド表示にしたがって操作ボタン５５で計数処理を開始する旨の操作入力を行うと、制御部１２０が、入金収納処理と同様にして、紙幣Ｓを一時貯留部２９に一時貯留させることになり、その後は、入金収納処理とは異なり、制御部１２０が、図８に太線矢印で示すように、一時貯留部２９の紙幣Ｓを、搬送路２２，２４，２１を介して、放出口１３に放出する。すると、紙幣Ｓは、放出口１３内に長辺方向の一端が底面部９８に当接するように放出され、厚さ方向に順次重ねられて、紙幣群ＳＳとなる。この紙幣群ＳＳは、底面部９８、放出口奥側前面部８７および放出口外側延長前面部８８を主体として支持されることになり、基本的にすべての紙幣Ｓが底面部９８に当接する。すると、長さの短い紙幣Ｓは、長さの長い紙幣Ｓよりも奥方に位置することになるが、上記したように、最も長さの短い紙幣Ｓであっても放出口外側傾斜前面部８９まで延出するように放出口奥側前面部８７の奥行き寸法が設定されている。なお、このとき、紙幣群ＳＳは放出口奥側前面部８７および放出口外側延長前面部８８で支持されることにより放出口外側傾斜前面部８９との間に隙間が形成される。
【００６７】
そして、紙幣Ｓの放出口１３への放出が終了すると、制御部１２０は、シャッタモータを駆動し、待機状態にあったシャッタ１１０の内側シャッタ体１１３を開くとともにランプ１０７を点灯させる。これにより、投入口１２および放出口１３のうち放出口１３のみが露出するとともに、放出口１３内が明るく照らされる。操作者は、紙幣群ＳＳを放出口１３から取り出すことになるが、その際に、側部開口部１０１の拡大部１０４側から放出口１３内に指を入れて、放出口外側傾斜前面部８９との間に隙間が形成されている紙幣群ＳＳを把持し、主開口部１００側に抜き出す。これにより、長さの短い紙幣Ｓも長さの長い紙幣Ｓと一緒に良好に取り出すことができる。また、仮に長さの短い紙幣Ｓが放出口１３に残ってしまっても、ランプ１０７による照明で取り忘れを抑制することになり、側部開口部１０１の拡大部１０４側から挿入された指で容易に取り出される。放出口１３から紙幣Ｓが取り出されたことが図示略のセンサで検出されると、制御部１２０は、シャッタモータを駆動し、内側シャッタ体１１３を閉じてシャッタ１１０を待機状態に戻すとともにランプ１０７を消灯させる。
【００６８】
他方、紙幣Ｓの放出口１３への放出後、所定時間経過しても放出口１３に紙幣Ｓが残存していることが図示略のセンサで検出されると、制御部１２０は、シャッタモータを駆動し、内側シャッタ体１１３を閉じてシャッタ１１０を待機状態に戻すとともにランプ１０７を消灯させ、その後、図９に太線矢印で示すように、放出口１３の紙幣Ｓを分離繰出部４２で一枚ずつ繰り出して搬送部４３で取忘回収庫４４に収納する。
【００６９】
以上に述べた本実施形態の紙幣処理機１１によれば、紙幣Ｓがその長辺方向の一端を機体奥側にして機外から投入される投入口１２と、紙幣Ｓがその長辺方向の一端を機体奥側にして機内から放出される放出口１３とが、いずれも、紙幣Ｓの長辺方向の他端側に開口する主開口部７１，１００と、主開口部７１，１００から連続して紙幣Ｓの短辺方向一端側に開口する側部開口部７２，１０１とを有しているため、寸法差が大きい紙幣群ＳＳが投入口１２および放出口１３のいずれにある場合でも、すべての紙幣Ｓを側部開口部７２，１０１側から同時に把持可能となり、この状態で主開口部７１，１００側に取り出すことができ、取り出しが容易となる。
【００７０】
また、投入口１２が、機体奥側の紙幣Ｓの厚さ方向に狭い奥側狭部７４で紙幣群ＳＳの姿勢を安定させ、主開口部７１側の外端側ほど紙幣Ｓの厚さ方向に広くなる傾斜状の拡大部７５側で紙幣群ＳＳの把持を容易とする。したがって、取り出しがさらに容易となる。
【００７１】
また、放出口１３が、紙幣Ｓの厚さ方向に同じ間隔で狭い、機体奥側の奥側狭部１０３および主開口部１００側の外側狭部１０５で紙幣群ＳＳの姿勢を安定させ、主開口部１００側の外側狭部１０５よりも側部開口部１０１側の、外端側ほど紙幣Ｓの厚さ方向に広くなる傾斜状の拡大部１０４側で紙幣群ＳＳの把持を容易とする。したがって、取り出しがさらに容易となる。
【００７２】
また、それぞれの主開口部７１，１００が同側に指向し、それぞれの側部開口部７２，１０１が同側に指向するように紙幣Ｓの厚さ方向に並んで隣接配置された投入口１２および放出口１３に対して、これらに共通で、それぞれの主開口部７１，１００と側部開口部７２，１０１とを閉塞可能な屈曲形状のシャッタ１１０が設けられているため、簡素な構造で投入口１２および放出口１３のそれぞれの主開口部７１，１００および側部開口部７２，１０１を開閉できる。
【００７３】
また、シャッタ１１０が、二枚重ねの内側シャッタ体１１３および外側シャッタ体１１７で構成されているため、一方の内側シャッタ体１１３を他方の外側シャッタ体１１７側に移動させて重ね合わせることで、投入口１２の主開口部７１および側部開口部７２を閉じた状態のまま、放出口１３の主開口部１００および側部開口部１０１を開いたり、他方の外側シャッタ体１１７を一方の内側シャッタ体１１３側に移動させて重ね合わせることで、放出口１３の主開口部１００および側部開口部１０１を閉じた状態のまま、投入口１２の主開口部７１および側部開口部７２を開いたりすることができる。したがって、簡素な構成で投入口１２および放出口１３を択一的に開くことができる。
【００７４】
また、投入口１２および放出口１３が、ランプ７８，１０７を有するため、特に長辺方向長さの短い紙幣Ｓを取り忘れることなく、紙幣群ＳＳを確実に取り出すことができる。
【００７５】
なお、以上においては、機外から紙幣Ｓが投入され投入された紙幣Ｓを機内に取り込む機内取り込み専用の投入口１２と、機内から紙幣Ｓが放出されるとともに紙幣Ｓを機内に取り込む機外放出および機内取り込み兼用の放出口１３とを例にとり説明したが、機内から紙幣が放出されるのみで機内に取り込みを行わない機外放出専用の取引口等、紙幣Ｓの長辺方向の一端を機体奥側にした姿勢での、機外からの投入および機内からの放出の少なくともいずれか一方が行われる取引口であれば、上記した投入口１２の構成および放出口１３の構成のいずれを適用することも可能である。
【００７６】
また、取引口の一つに対して、屈曲形状のシャッタにより主開口部と側部開口部とを閉塞するようにしても良く、この場合も、簡素な構造で取引口の主開口部および側部開口部を開閉できる。
【００７７】
加えて、紙幣を入金する紙幣入金機以外の、例えば紙幣の入金および出金を行う紙幣入出金機等の他の紙幣処理機にも勿論、上記構成を適用可能である。
【符号の説明】
【００７８】
Ｓ  紙幣
ＳＳ  紙幣群
１２  投入口（取引口）
１３  放出口（取引口）
１１  紙幣処理機
７１，１００  主開口部
７２，１０１  側部開口部
７４，１０３  奥側狭部
７５，１０４  拡大部
１０５  外側狭部
１１０  シャッタ
１１３  内側シャッタ体（シャッタ体）
１１７  外側シャッタ体（シャッタ体）
７８，１０７  ランプ（照明手段）
【図１】
2010191606.tif 000003
【図２】
2010191606.tif 000004
【図３】
2010191606.tif 000005
【図４】
2010191606.tif 000006
【図５】
2010191606.tif 000007
【図６】
2010191606.tif 000008
【図７】
2010191606.tif 000009
【図８】
2010191606.tif 000010
【図９】
2010191606.tif 000011